(57)【要約】【課題】持ち運ぶ際に安定した姿勢でコンパクトにまとめることができ、また、分離されている複数の鍵盤ユニット同士を容易に連結できるとともに、使用時に安定した状態に保持することができる鍵盤装置を提供する。【解決手段】各々が前後方向に延びかつ左右方向に並んだ状態に配置された複数の鍵４を有するとともに、複数の鍵４を押下げ可能に支持し、互いに分離可能に構成された複数の鍵盤ユニット２と、互いに左右方向に隣り合う２つの鍵盤ユニット２の底面に、跨りかつ前後方向の全体にわたって係合した状態で着脱自在に取り付けられ、鍵盤ユニット２、２同士を連結する１以上の連結プレート３と、を備えている。【選択図】図１
2020046526.tif 000002
【特許請求の範囲】
【請求項１】
各々が前後方向に延びかつ左右方向に並んだ状態に配置された複数の鍵を有するとともに、当該複数の鍵を押下げ可能に支持し、互いに分離可能に構成された複数の鍵盤ユニットと、
互いに左右方向に隣り合う２つの前記鍵盤ユニットの底面に、跨りかつ前後方向の全体にわたって係合した状態で着脱自在に取り付けられ、当該鍵盤ユニット同士を連結する１以上の連結体と、
を備えていることを特徴とする鍵盤装置。
【請求項２】
前記複数の鍵盤ユニットの各々の底面には、左右端部の少なくとも一方に、前後方向の全体にわたって延びるユニット側係合部が設けられており、
前記連結体は、
連結すべき前記鍵盤ユニット同士の底面に跨った状態に配置されたベースと、
このベース上に、前後方向に所定長さ延びるように設けられ、前記連結すべき鍵盤ユニットの互いに隣接する前記ユニット側係合部にそれぞれ係脱自在に係合する２つの連結体側係合部を有していることを特徴とする請求項１に記載の鍵盤装置。
【請求項３】
前記ユニット側係合部及び前記連結体側係合部の一方が、外方に突出する凸状に形成され、前記ユニット側係合部及び前記連結体側係合部の他方が、前記一方に嵌合する凹状に形成されていることを特徴とする請求項２に記載の鍵盤装置。
【請求項４】
凹状の前記他方は、蟻溝で構成され、凸状の前記一方は、前記他方に対し、その長さ方向にスライドすることによって嵌合する蟻ほぞで構成されていることを特徴とする請求項３に記載の鍵盤装置。
【請求項５】
連結すべき前記鍵盤ユニット同士の底面に取り付けられた前記連結体を前後方向にスライド不能にロックするためのロック機構を、さらに備えていることを特徴とする請求項４に記載の鍵盤装置。
【発明の詳細な説明】
【技術分野】
【０００１】
本発明は、電子鍵盤楽器などに適用され、複数の鍵盤ユニットに分離可能な鍵盤装置に関し、特に、分離されている複数の鍵盤ユニットを連結し、鍵盤装置を一体に構成するための連結構造に関する。
【背景技術】
【０００２】
従来、多数の鍵を有する鍵盤装置を備え、持ち運びが比較的容易な電子ピアノとして、例えば特許文献１に記載されたものが知られている。この電子ピアノは、鍵盤装置が２つに折畳み可能に構成されている。具体的には、各々が前後方向に延びかつ左右方向に並ぶ多数の鍵を有する鍵盤装置において、その左右方向の中央付近で分割され、それらの左右の鍵盤部の底面同士が重なるように折り畳まれる。そして、鍵盤装置が２つに折り畳まれた電子ピアノは、所定のケースに収納された状態で、持ち運ばれるようになっている。
【先行技術文献】
【特許文献】
【０００３】
【特許文献１】実用新案登録第３０７４０８５号公報
【発明の概要】
【発明が解決しようとする課題】
【０００４】
しかし、上述した従来の電子ピアノでは、左右方向に横長の鍵盤装置を、単に２つに折り畳んでいるにすぎず、持ち運びの際に十分にコンパクト化されているとは言えない。すなわち、横長の鍵盤装置を２つ折りにしても、その最大長さが、例えば機内持ち込みサイズの最大長さを超えているときには、上記の電子ピアノを飛行機内に持ち込めないことがある。また、鍵盤装置を２つに折り畳んで持ち運ぶ場合、例えば、左右一方の鍵盤部を使用時と同じ姿勢に保持すると、他方の鍵盤部は上下反対の姿勢になってしまう。このため、鍵盤装置の内部の構造や持ち運びの状態によっては、鍵盤装置が故障するおそれがある。なお、特許文献１には、折り畳まれた鍵盤装置を元の状態に戻して使用する場合において、その状態を維持するための具体的な構造については、何ら記載されていない。
【０００５】
本発明は、以上のような課題を解決するためになされたものであり、持ち運ぶ際に安定した姿勢でコンパクトにまとめることができ、また、分離されている複数の鍵盤ユニット同士を容易に連結できるとともに、使用時に安定した状態に保持することができる鍵盤装置を提供することを目的とする。
【課題を解決するための手段】
【０００６】
上記の目的を達成するために、請求項１に係る発明は、各々が前後方向に延びかつ左右方向に並んだ状態に配置された複数の鍵を有するとともに、複数の鍵を押下げ可能に支持し、互いに分離可能に構成された複数の鍵盤ユニットと、互いに左右方向に隣り合う２つの鍵盤ユニットの底面に、跨りかつ前後方向の全体にわたって係合した状態で着脱自在に取り付けられ、鍵盤ユニット同士を連結する１以上の連結体と、を備えていることを特徴とする鍵盤装置。
【０００７】
この構成によれば、鍵盤装置が複数の鍵盤ユニットを備えており、これらの鍵盤ユニットが、互いに分離可能に構成されている。各鍵盤ユニットは、各々が前後方向に延びかつ左右方向に並んだ状態に配置された複数の鍵を有するとともに、それらの複数の鍵を押下げ可能に支持している。上記の複数の鍵盤ユニットは、互いに分離可能であるので、鍵盤装置を持ち運ぶ場合、例えば、鍵盤ユニットごとに分離し、それらを所定のケースなどに使用時と同じ姿勢で上下方向に並ぶように収納することが可能である。このように、鍵盤装置を持ち運ぶ際には、各鍵盤ユニットを上記のようにケースに収納することにより、安定した姿勢でコンパクトにまとめることができる。なお、互いに連結される鍵盤ユニットにおいて、互いに対向する側面には、連結された際に両鍵盤ユニットの隣接する鍵同士の隙間を他の鍵同士の隙間と同程度に維持しながら、鍵盤ユニットが分離された際に外部からのアクセス及び埃の侵入を防止するためのカバーが設けられていることが好ましい。
【０００８】
また、上記の鍵盤装置を使用する場合、互いに左右方向に隣り合う鍵盤ユニット同士の底面に連結体を取り付けることによって、両鍵盤ユニットを連結する。この場合、連結体は、互いに左右方向に隣り合う２つの鍵盤ユニットの底面に跨りかつ前後方向の全体にわたって係合するので、両鍵盤ユニットの底面の境界部分全体をしっかりと連結することができ、鍵盤装置を使用時に安定した状態に保持することができる。
【０００９】
請求項２に係る発明は、請求項１に記載の鍵盤装置において、複数の鍵盤ユニットの各々の底面には、左右端部の少なくとも一方に、前後方向の全体にわたって延びるユニット側係合部が設けられており、連結体は、連結すべき鍵盤ユニット同士の底面に跨った状態に配置されたベースと、このベース上に、前後方向に所定長さ延びるように設けられ、連結すべき鍵盤ユニットの互いに隣接するユニット側係合部にそれぞれ係脱自在に係合する２つの連結体側係合部を有していることを特徴とする。
【００１０】
この構成によれば、各鍵盤ユニットの底面には、左右端部の少なくとも一方に、前後方向の全体にわたって延びるユニット側係合部が設けられている。また、連結体は、ベースと、その上に前後方向に延びるように設けられた２つの連結体側係合部を有している。隣り合う２つの鍵盤ユニットを連結する場合、それらの底面に跨るように、連結体のベースを配置し、２つの連結体側係合部をそれぞれ、両鍵盤ユニットの互いに隣接するユニット側係合部に係合させる。連結体の２つの連結体側係合部を、鍵盤ユニットのユニット側係合部と同様の長さを有するように構成することにより、連結すべき鍵盤ユニットの底面を、前後方向の全体にわたって、しっかりと連結することができる。また、連結体の各連結体側係合部は、鍵盤ユニットのユニット側係合部に対して係脱自在であるので、両係合部の係合を解除し、連結体を鍵盤ユニットから取り外すことにより、連結されていた鍵盤ユニットを容易に分離することができる。
【００１１】
請求項３に係る発明は、請求項２に記載の鍵盤装置において、ユニット側係合部及び連結体側係合部の一方が、外方に突出する凸状に形成され、ユニット側係合部及び連結体側係合部の他方が、一方に嵌合する凹状に形成されていることを特徴とする。
【００１２】
この構成によれば、ユニット側係合部及び連結体側係合部の一方が凸状に、他方がそれに嵌合する凹状に形成されるので、両係合部による係合及びその解除を容易に行うことができる。それにより、鍵盤ユニット同士を連結体で容易に連結したり、連結体で連結されている２つの鍵盤ユニットを容易に分離することができる。
【００１３】
請求項４に係る発明は、請求項３に記載の鍵盤装置において、凹状の他方は、蟻溝で構成され、凸状の一方は、他方に対し、その長さ方向にスライドすることによって嵌合する蟻ほぞで構成されていることを特徴とする。
【００１４】
この構成によれば、ユニット側係合部及び連結体側係合部の凹凸が、互いに嵌合する蟻溝及び蟻ほぞで構成されている。これにより、蟻ほぞで構成されたユニット側係合部及び連結体側係合部の一方を、蟻溝で構成されたユニット側係合部及び連結体側係合部の他方に対し、その長さ方向の一端から他端に向かってスライドさせるだけで、ユニット側係合部と連結体側係合部を容易に嵌合させることができる。また、ユニット側係合部と連結体側係合部は、それらの長さ方向（前後方向）以外の方向に抜け止め状態で嵌合するので、連結体を介して連結された鍵盤ユニット同士を、より一層強固に連結することができる。
【００１５】
請求項５に係る発明は、請求項４に記載の鍵盤装置において、連結すべき鍵盤ユニット同士の底面に取り付けられた連結体を前後方向にスライド不能にロックするためのロック機構を、さらに備えていることを特徴とする。
【００１６】
この構成によれば、連結すべき鍵盤ユニット同士の底面に取り付けられた連結体が、ロック機構によって、前後方向にスライド不能にロックされる。前述したように、ユニット側係合部及び連結体側係合部の凹凸は、前後方向に延びる蟻溝及び蟻ほぞで構成されているので、ロック機構によって、連結体を前後方向にスライド不能にすることで、鍵盤装置の使用時に、鍵盤ユニット同士を連結する連結体が鍵盤ユニットに対して動くことがなく、鍵盤装置を安定して使用することができる。
【図面の簡単な説明】
【００１７】
【図１】本発明の一実施形態による鍵盤装置を示す外観図である。
【図２】図１の鍵盤装置を４つの鍵盤ユニットに分解して示す斜視図である。
【図３】低音ユニット及び中低音ユニットと、これらを連結するための連結プレートとを示す斜視図である。
【図４】鍵盤ユニットの連結構造を説明するための図であり、（ａ）は中低音ユニットの正面図、（ｂ）は（ａ）のｂ−ｂ線に沿う断面図、（ｃ）は（ａ）の左下端部を拡大して示す正面図である。
【図５】連結プレートを示す図であり、（ａ）は平面図、（ｂ）は（ａ）のｂ−ｂ線に沿う断面図である。
【図６】鍵盤ユニットの連結手順を説明するための図であり、（ａ）は、連結すべき中低音ユニット及び中高音ユニットを並べて配置した状態、（ｂ）は、連結プレートを両ユニットに係合させる直前の状態、（ｃ）は、連結プレートを両ユニットに係合させた状態を示す。
【図７】４つの鍵盤ユニットを鍵盤ケースに収納した状態を示す正面図である。
【発明を実施するための形態】
【００１８】
以下、図面を参照しながら、本発明の好ましい実施形態を詳細に説明する。図１は、本発明の一実施形態による鍵盤装置を示している。この鍵盤装置１は、電子ピアノとして用いられ、互いに分離可能に構成された複数（本実施形態では４つ）の鍵盤ユニット２を備えている。
【００１９】
図２は、鍵盤装置１を４つの鍵盤ユニット２に分離した状態を示している。図１及び図２に示すように、鍵盤装置１は、低音領域、中低音領域、中高音領域及び高音領域にそれぞれに対応する４つの鍵盤ユニット２と、それらを連結する３つの連結プレート３（連結体）とを備えている。なお、以下の説明では、上記の発音領域に対応する４つの鍵盤ユニット２を区別する場合にはそれぞれ、「低音ユニット２Ａ」、「中低音ユニット２Ｂ」、「中高音ユニット２Ｃ」及び「高音ユニット２Ｄ」というものとする。
【００２０】
各鍵盤ユニット２は、各々が前後方向に所定長さ延び、左右方向に並んだ状態に配置された複数の鍵４（白鍵４ａ及び黒鍵４ｂ）と、これらの下側を囲うように配置されたユニットケース５とを備えている。低音ユニット２Ａでは、鍵４を約１オクターブ分（本実施形態では１５鍵）、中低音ユニット２Ｂ、中高音ユニット２Ｃ及び高音ユニット２Ｄでは、鍵４を２オクターブ分（２４鍵）、備えている。なお、本実施形態の鍵盤装置１では、一般的なピアノの鍵数（８８鍵）よりも１つ少ない８７鍵を有するように構成しているが、一般的なピアノと同数の８８鍵とする場合には、高音ユニット２Ｄが２５鍵を有するように構成される。
【００２１】
ユニットケース５は、平面形状が横長矩形状の底板５ａと、その前端部及び後端部から上方に直角に屈曲するように設けられた前板５ｂ及び後板５ｃとにより、縦断面が上方に開口するコ字状に形成されている。このユニットケース５内には、各鍵４を押下げ可能な状態で下方から支持する鍵支持機構６、並びに各鍵４の押鍵情報を検出するためのセンサ及びスイッチなどを有する電子基板７が内蔵されている。なお、図２では、互いに連結される鍵盤ユニット２の内部が側方に露出した状態になっているが、ユニットケース５の連結側の側面に、その内部を覆うカバーなどを設けることも可能である。このようなカバーとしては、比較的薄く構成され、また、鍵盤ユニット２、２同士が連結された際に、それらの隣接する鍵４、４同士の隙間を他の鍵４、４同士の隙間と同程度に維持しながら、鍵盤ユニット２が分離された際に、外部からのアクセス及び埃の侵入を防止するように構成されていることが好ましい。
【００２２】
上記の鍵支持機構６は、複数のリンクバーを有するリンク機構で構成されており、このリンク機構の所定位置に、押し下げられた鍵４を上方に付勢し、元の位置に戻すための復元ばね（図示せず）が設けられている。上記のようなリンク機構及び復元ばねにより、各鍵盤ユニット２の鍵３が、アコースティックピアノに近似した鍵動作をするようになっている。
【００２３】
低音ユニット２Ａの左部には、音源回路、制御回路及び入出力インターフェースなどを有するコントロールボックス８が設けられている。このコントロールボックス８には、低音ユニット２Ａ内の電子基板からの押鍵情報が入力されるのに加えて、他の３つの鍵盤ユニット２が連結された際に、それらの電子基板７が電気的に接続され、各電子基板７からの押鍵情報も入力されるようになっている。なお、コントロールボックス８に、図示しないスピーカやヘッドホンなどを接続して、鍵盤装置１の演奏音を、スピーカから発音させたり、ヘッドホンに出力したりすることができるようになっている。
【００２４】
また、各鍵盤ユニット２には、ユニットケース５の底板５ａの左右端部の少なくとも一方に、連結プレート３に係合する係合溝１１（ユニット側係合部）が設けられている。具体的には、低音ユニット２Ａの底板５ａには右端部に、中低音ユニット２Ｂ及び中高音ユニット２Ｃには左右端部に、高音ユニット２Ｄには左端部に、係合溝１１が設けられている。なお、各鍵盤ユニット２に設けられた係合溝１１は、同じ構成であるので、図４において、中低音ユニット２Ｂの係合溝１１を代表して説明する。
【００２５】
図４（ａ）及び（ｂ）に示すように、中低音ユニット２Ｂは、ユニットケース５の底板５ａの左右端部に２つの係合溝１１、１１を有している。各係合溝１１は、底板５ａの前後方向の全体にわたり、互いに平行に延びる一対の溝形成プレート１２、１２が、底板５ａに下方からねじ止めされることによって形成されている。具体的には、各溝形成プレート１２は、所定の厚さを有するとともに、ユニットケース５の底板５ａの前後方向の奥行き寸法とほぼ同じ長さを有し、平面形状が縦長矩形状に形成されている。また、図４（ｂ）及び（ｃ）に示すように、両溝形成プレート１２、１２の互いに対向する縁部には、下方に向かって前下がりに傾斜する傾斜面１２ａ、１２ａがそれぞれ形成されている。このように形成された溝形成プレート１２、１２により、その間に形成された係合溝１１は、断面が逆ハの字状の蟻溝で構成されている。
【００２６】
なお、中低音ユニット２Ｂを含め、鍵盤ユニット２の底板５ａの中央などには、所定の厚さ及び底板５ａの奥行き寸法とほぼ同じ長さを有し、平面形状が縦長矩形状の補助プレート１３がねじ止めされている。この補助プレート１３は、４つの鍵盤ユニット２が連結プレート３で連結された際に、その連結プレート３の底面と鍵盤ユニット２の底板５ａとの高さを一定に保つためのものであり、それにより、水平な台上に設置された鍵盤装置１は、全体として、水平な状態に保持される。
【００２７】
また、中低音ユニット２Ｂ、中高音ユニット２Ｃ及び高音ユニット２Ｄの前板５ｂの左端部には、連結プレート３の後述するロック孔１５ａに係合可能なロック円板１４（ロック機構）が設けられている。このロック円板１４は、正面形状が所定の径を有する円形に形成され、前方に突設された支軸１４ａに偏心した状態で回動自在に支持されている。
【００２８】
図５は、連結プレート３を示している。同図（ａ）に示すように、連結プレート３は、所定の厚さを有するとともに平面形状が縦長矩形状に形成された板状のベース１５と、このベース１５上にねじ止めされ、連結すべき鍵盤ユニット２、２の隣接する係合溝１１、１１にそれぞれ係合する左右一対の係合凸部１６、１６（連結体側係合部）とを有している。ベース１５の前後方向（図５（ａ）の上下方向）の奥行き寸法は、ユニットケース５の底板５ａの前後方向の長さよりも若干長く形成されている。
【００２９】
また、ベース１５の前端部には、横長矩形状で上下方向に貫通するロック孔１５ａが形成され、鍵盤ユニット２の前記ロック円板１４が係合可能になっている。具体的には、ロック円板１４が、支軸を中心として、連結される鍵盤ユニット２側に回動することにより、ロック円板１４の周縁部の一部が、ロック孔１５ａに上方から挿入した状態で係合する。これにより、連結プレート３は、鍵盤ユニット２に対し、前後方向にスライド不能にロックされる。
【００３０】
さらに、ベース１５上の後端部には、上方に突出するストッパ１７がねじ止めされている。後述するように、２つの鍵盤ユニット２、２を連結する際に、連結プレート３を、両連結ユニット２、２の底面側において、後方から前方にスライドさせ、適正な位置に到達したときに、両鍵盤ユニット２、２のユニットケース５の後板５ｃに当接するようになっている。
【００３１】
一方、左右の係合凸部１６、１６は、互いに左右方向に所定間隔を隔てた状態で前後方向に平行に延び、鍵盤ユニット２側の溝形成プレート１２とほぼ同じ厚さ及び長さを有している。図５（ｂ）に示すように、各係合凸部１６の左右の縁部には、下方に向かって横幅が次第に狭くなるように傾斜する傾斜面１６ａ、１６ａが形成されている。このように形成された係合凸部１６は、その断面が逆ハの字状の蟻ほぞで構成されている。また、各係合凸部１６の前端部１６ｂは、横幅が前方に向かって次第に狭くなるように形成されている。
【００３２】
以上のように構成された４つの鍵盤ユニット２は、連結プレート３を介して、次のように連結される。図６は、鍵盤ユニット２、２の連結手順を示している。なお、同図では、中低音ユニット２Ｂと中高音ユニット２Ｃとの連結手順を示している。
【００３３】
まず、図６（ａ）に示すように、連結すべき２つの鍵盤ユニット２、２を左右方向に並んだ状態に配置する。次いで、同図（ｂ）に示すように、両鍵盤ユニット２、２を互いに当接させた状態で、その底面側において、後方から連結プレート３を挿入する。この場合、連結プレート３の両係合凸部１６の前端部１６ａを、左右の鍵盤ユニット２、２の互いに隣接する係合溝１１、１１に後方から挿入する。そして、連結プレート３を、さらに前方へスライドさせ、ストッパ１７が両鍵盤ユニット２、２の背面、すなわち各ユニットケース５の後板５ｃに当接するまでスライドさせる。これにより、両鍵盤ユニット２、２は、その底面の境界部分全体が連結プレート３によって連結される。
【００３４】
以上のようにして、互いに連結すべき鍵盤ユニット２、２を連結プレート３によって連結した後、鍵盤ユニット２の前面に設けられたロック円板１４を、対応する連結プレート３側に回動させ、ロック孔１５ａに係合させる。以上により、３つの連結プレート３によって、４つの鍵盤ユニット２の連結が完了し、図１に示す鍵盤装置１が一体に構成される。
【００３５】
なお、この鍵盤装置１を、鍵盤ユニット２ごとに分離する際には、上記の各ロック円板１４を上記と逆方向に回動させることで、対応する連結プレート３のロック孔１５ａから外し、さらに、各連結プレート３を後方にスライドさせて、連結していた両鍵盤ユニット２、２から取り外す。以上により、鍵盤装置１が４つの鍵盤ユニット２に分離される。
【００３６】
図７は、４つの鍵盤ユニット２を所定の鍵盤ケース２１に収納した状態を示している。同図に示すように、鍵盤ケース２１内には、上下方向に所定間隔を隔てて３つの仕切板２１ａが水平に設けられ、これにより、上下方向に４つの収納スペースが画成されている。したがって、これらの収納スペースに４つの鍵盤ユニット２をそれぞれ収納することにより、各鍵盤ユニット２は、使用時と同じ姿勢で収納される。なお、図７では、鍵盤ケース２１内の４つの収納スペースについて、左右方向の横幅寸法がいずれも同じになるように示しているが、前述したように、高音ユニット２Ｄが２５鍵を有する場合、他の鍵盤ユニット２に比べて横幅が１鍵分、長くなるので、高音ユニット２Ｄを収納する収納スペースの横幅を、他の収納スペースのそれに比べて、若干長くしてもよい。
【００３７】
以上、詳述したように、本実施形態によれば、鍵盤装置１が、互いに分離可能な４つの鍵盤ユニット２で構成されているので、鍵盤装置１を持ち運ぶ際には、各鍵盤ユニット２を上記の鍵盤ケース２１に収納することにより、安定した姿勢でコンパクトにまとめることができる。また、２つの鍵盤ユニット２、２同士を連結する場合、それらの底面側において、連結プレート３を後方から前方にスライドさせることにより、２つの鍵盤ユニット２、２の底面の境界部分全体をしっかりと連結することができ、鍵盤装置１を使用時に安定した状態に保持することができる。
【００３８】
なお、本発明は、説明した上記実施形態に限定されることなく、種々の態様で実施することができる。例えば、実施形態では、鍵盤装置１を４つの鍵盤ユニット２に分離可能に構成したが、本発明はこれに限定されるものではなく、鍵盤ユニット２を２、３、５又は６つなどに分離可能に構成してもよい。また、実施形態では、鍵盤ユニット２側の係合溝１１に、連結プレート３の係合凸部１６を係合させたが、この凹凸関係を逆にすることももちろん可能である。加えて、上記の係合溝１１を蟻溝で、上記の係合凸部１６を蟻ほぞで構成したが、これらの係合溝１１及び係合凸部１６を他の形状の凹凸で構成することも可能である。さらに、実施形態で示した鍵盤ユニット２及び連結プレート３の細部の構成などは、あくまで例示であり、本発明の趣旨の範囲内で適宜、変更することができる。
【符号の説明】
【００３９】
１    鍵盤装置
２    鍵盤ユニット
２Ａ  低音ユニット
２Ｂ  中低音ユニット
２Ｃ  中高音ユニット
２Ｄ  高音ユニット
３    連結プレート（連結体）
４    鍵
５    ユニットケース
５ａ  底板
１１    係合溝（ユニット側係合部）
１２    溝形成プレート
１２ａ  傾斜面
１４    ロック円板（ロック機構）
１５    ベース
１６    係合凸部（連結体側係合部）
【図１】
2020046526.tif 000003
【図２】
2020046526.tif 000004
【図３】
2020046526.tif 000005
【図４】
2020046526.tif 000006
【図５】
2020046526.tif 000007
【図６】
2020046526.tif 000008
【図７】
2020046526.tif 000009